(57)【要約】      （修正有）【課題】収納ケースを順次複数個積み重ねたとき、枠本体の下部後面及び天板体の後面に形成された対向一対の掛止突部に継合部材の一対の掛止鉤部を弾性を伴って係止することにより使用の安全性を高めることができる収納ケースを提供する。【解決手段】前面及び上面が開口した合成樹脂製の枠本体１と、枠本体の上面を覆う天板体２と、枠本体及び天板体からなる本体の前面の開口部を介して引出収納自在に設けられ、上面が開口した合成樹脂製の引出体とからなり、天板体の後面と天板体上に積み重ねられた枠本体の下部後面との間に掛架可能な継合部材Ｇを形成し、枠本体の下部後面及び天板体の後面に対向一対の掛止突部Ｌが形成され、継合部材に対向一対の掛止突部に係止可能な一対の掛止鉤部を形成してなる。【選択図】図３
0003224229.tif 000002
【実用新案登録請求の範囲】
【請求項１】
前面及び上面が開口した合成樹脂製の枠本体と、該枠本体の上面を覆う天板体と、該枠本体及び天板体からなる本体の前面の開口部を介して引出収納自在に設けられ、上面が開口した合成樹脂製の引出体とからなり、上記天板体の後面と該天板体上に積み重ねられた上記枠本体の下部後面との間に掛架可能な継合部材を形成し、上記枠本体の下部後面及び上記天板体の後面に対向一対の掛止突部が形成され、該継合部材に対向一対の掛止突部に係止可能な一対の掛止鉤部を形成してなることを特徴とする収納ケース。
【請求項２】
前面及び上面が開口した上下に積み重ね可能な複数個の合成樹脂製の枠本体と、該積み重ねられた最上位の枠本体の上面を覆う天板体と、該複数個の枠本体及び天板体からなる本体の前面の複数個の開口部を介してそれぞれ引出収納自在に設けられ、上面が開口した複数個の合成樹脂製の引出体とからなり、上記天板体の後面と該天板体上に積み重ねられた上記枠本体の下部後面との間に掛架可能な継合部材を形成し、上記枠本体の下部後面及び上記天板体の後面に対向一対の掛止突部が形成され、該継合部材に対向一対の掛止突部に係止可能な一対の掛止鉤部を形成してなることを特徴とする収納ケース。
【請求項３】
上記枠本体に上記継合部材の配置部が設けられ、該配置部に上記継合部材の一対の掛止鉤部が掛止可能な一対の掛止部を形成してなることを特徴とする請求項１又は２記載の収納ケース。
【考案の詳細な説明】
【技術分野】
【０００１】
本考案は、例えば一般家庭に設置されて衣類や各種小物類等を整理収納する際に用いられる収納ケースに関するものである。
【背景技術】
【０００２】
従来、この種の収納ケースとして、底板、左右の側板、後板からなる前面及び上面が開口した合成樹脂製の枠本体と、枠本体の上面を覆う天板体と、枠本体及び天板体からなる本体の前面の開口部を介して引出収納自在に設けられ、上面が開口した合成樹脂製の引出体とからなる単一構造のもの、又は、前面及び上面が開口した上下に積み重ね可能な複数個の合成樹脂製の枠本体と、積み重ねられた最上位の枠本体の上面を覆う天板体と、複数個の枠本体及び天板体からなる本体の前面の複数個の開口部を介してそれぞれ引出収納自在に設けられ、上面が開口した複数個の合成樹脂製の引出体とからなる多段構造のものが知られている。
【先行技術文献】
【特許文献】
【０００３】
【特許文献１】特許第６４９０１１１号
【考案の概要】
【考案が解決しようとする課題】
【０００４】
しかしながらこれら従来構造の場合、上記単一構造の収納ケース、或いは、多段構造の収納ケースを使用状況に応じて順次複数個積み重ねたとき、衝突等の不測の外力により上段の収納ケースが前方に滑り落ちるなど、積み重ねの不安定が生ずることがあるという不都合を有している。
【課題を解決するための手段】
【０００５】
本考案はこれらの不都合を解決することを目的とするもので、本考案のうちで、請求項１記載の考案は、前面及び上面が開口した合成樹脂製の枠本体と、該枠本体の上面を覆う天板体と、該枠本体及び天板体からなる本体の前面の開口部を介して引出収納自在に設けられ、上面が開口した合成樹脂製の引出体とからなり、上記天板体の後面と該天板体上に積み重ねられた上記枠本体の下部後面との間に掛架可能な継合部材を形成し、上記枠本体の下部後面及び上記天板体の後面に対向一対の掛止突部が形成され、該継合部材に対向一対の掛止突部に係止可能な一対の掛止鉤部を形成してなることを特徴とする収納ケースにある。
【０００６】
又、請求項２記載の考案は、前面及び上面が開口した上下に積み重ね可能な複数個の合成樹脂製の枠本体と、該積み重ねられた最上位の枠本体の上面を覆う天板体と、該複数個の枠本体及び天板体からなる本体の前面の複数個の開口部を介してそれぞれ引出収納自在に設けられ、上面が開口した複数個の合成樹脂製の引出体とからなり、上記天板体の後面と該天板体上に積み重ねられた上記枠本体の下部後面との間に掛架可能な継合部材を形成し、上記枠本体の下部後面及び上記天板体の後面に対向一対の掛止突部が形成され、該継合部材に対向一対の掛止突部に係止可能な一対の掛止鉤部を形成してなることを特徴とする収納ケースにある。
【０００７】
又、請求項３記載の考案は、上記枠本体に上記継合部材の配置部が設けられ、該配置部に上記継合部材の一対の掛止鉤部が掛止可能な一対の掛止部を形成してなることを特徴とするものである。
【考案の効果】
【０００８】
本考案は上述の如く、請求項１記載の考案にあっては、上記収納ケースを順次複数個積み重ねたとき、上記枠本体の下部後面及び上記天板体の後面に形成された対向一対の掛止突部に上記継合部材の一対の掛止鉤部を弾性を伴って係止することにより上記下段の収納ケースの天板体の後面と天板体上に積み重ねられた上段の収納ケースの上記枠本体の下部後面との間が継合連結され、衝突等の不測の外力により上段の収納ケースが前方に滑り落ちる事態を防ぐことができ、積み重ねの安定性を向上することができ、使用の安全性を高めることができる。
【０００９】
又、請求項２記載の考案にあっては、上記収納ケースを順次複数個積み重ねたとき、上記枠本体の下部後面及び上記天板体の後面に形成された対向一対の掛止突部に上記継合部材の一対の掛止鉤部を弾性を伴って係止することにより上記下段の収納ケースの天板体の後面と天板体上に積み重ねられた上段の収納ケースの上記枠本体の下部後面との間が継合連結され、衝突等の不測の外力により上段の収納ケースが前方に滑り落ちる事態を防ぐことができ、積み重ねの安定性を向上することができ、使用の安全性を高めることができる。
【００１０】
又、請求項３記載の考案にあっては、上記枠本体に上記継合部材の配置部が設けられ、配置部に上記継合部材の一対の掛止鉤部が掛止可能な一対の掛止部を形成しているから、不使用時において、継合部材の一対の掛止鉤部を配置部の一対の掛止部に係止することにより配置部に上記継合部材を配置することができ、継合部材の紛失を防ぐことができ、使用の利便性を向上することができる。
【図面の簡単な説明】
【００１１】
【図１】本考案の実施の第一形態例の部分斜視図である。
【図２】本考案の実施の第一形態例の全体斜視図である。
【図３】本考案の実施の第一形態例の全体後面図である。
【図４】本考案の実施の第一形態例の部分後面図である。
【図５】本考案の実施の第一形態例の部分後面図である。
【図６】本考案の実施の第一形態例の部分断面図である。
【図７】本考案の実施の第一形態例の枠本体の底板の底面図である。
【図８】本考案の実施の第一形態例の枠本体の底板の側断面図である。
【図９】本考案の実施の第一形態例の枠本体の底板の平断面である。
【図１０】本考案の実施の第一形態例の斜視図である。
【図１１】本考案の実施の第一形態例の分離斜視図である。
【図１２】本考案の実施の第一形態例の部分斜視図である。
【図１３】本考案の実施の第一形態例の折畳状態の分離斜視図である。
【図１４】本考案の実施の第二形態例の全体斜視図である。
【図１５】本考案の実施の第二形態例の全体後面図である。
【図１６】本考案の実施の第二形態例の全体斜視図である。
【図１７】本考案の実施の第二形態例の分離斜視図である。
【図１８】本考案の実施の第二形態例の折畳状態の分離斜視図である。
【考案を実施するための形態】
【００１２】
図１乃至図１８は本考案の実施の形態例を示し、図１乃至図１３は請求項１の考案に対応する第一形態例、図１４乃至図１８は請求項２の考案に対応する第二形態例である。
【００１３】
図１乃至図１３の第一形態例においては、図２、図３の如く、前面及び上面が開口した合成樹脂製の枠本体１と、枠本体１の上面を覆う天板体２と、１枠本体及び天板体２からなる本体Ｄの前面の開口部を介して引出収納自在に設けられ、上面が開口した合成樹脂製の１個の引出体３とからなる単一構造の二個の収納ケースＫ・Ｋを上段及び下段に二段状に積み重ねて構成している。
【００１４】
Ｇ・Ｇは継合部材であって、図１乃至図９の如く、上記下段の収納ケースＫの天板体２の後面と天板体２上に積み重ねられた上段の収納ケースＫの上記枠本体１の下部後面との間に左右方向に二個宛掛架可能に形成され、上記枠本体１の下部後面及び上記天板体２の後面に対向一対の掛止突部Ｌ・Ｎが左右方向に二個宛形成され、各継合部材Ｇに対向一対の掛止突部Ｌ・Ｎに係止可能な一対の掛止鉤部ＧＬ・ＧＮを形成して構成している。
【００１５】
また、この場合、図７、図８の如く、上記枠本体１に上記継合部材Ｇの配置部Ｈが設けられ、配置部Ｈに上記継合部材Ｇの一対の掛止鉤部ＧＬ・ＧＮが掛止可能な一対の掛止部ＨＬ・ＨＮを形成している。
【００１６】
この場合、上記枠本体１は、図１０、図１１、図１２、図１３の如く、合成樹脂製にして、底板１ａ、左右の側板１ｂ・１ｂ、後板１ｃからなり、前面及び上面が開口した枠状に形成され、上記天板体２は、合成樹脂製にして、上記枠本体１の上面を覆って枠本体１に着脱自在に取り付けられている。なお、上記天板体２として、木板を合成樹脂製枠で覆った構造のものを採用することもある。
【００１７】
又、この場合、上記枠本体１にあっては、図１１、図１２、図１３の如く、上記底板１ａの左右辺部に上記枠本体１の左右の側板１ｂ・１ｂが起立状態Ｓ１ｂと枠本体１の底板１ａの上面に沿った倒伏状態Ｔ１ｂとに折畳自在に配置され、かつ、上記枠本体１の底板１ａの後辺部に上記枠本体１の後板１ｃが起立状態Ｓ１ｃと枠本体１の底板１ａの底面に沿った倒伏状態Ｔ１ｃとに折畳自在に配置され、上記枠本体１の底板１ａの上面に枠本体１の左右の側板１ｂ・１ｂが枠本体１の底板１ａの上面に沿って折り畳まれると共に枠本体１の底板１ａの底面に枠本体１の後板１ｃが枠本体１の底板１ａの底面に沿って折り畳まれ、かつ、この場合、上記枠本体１の上記底板１ａの前端部及び上記左右の側板１ｂ・１ｂの各前端部に着脱自在に嵌合可能な断面コ状の四角枠状の補強枠４を設け、しかして、上記枠本体１、補強枠４及び天板体２からなる本体Ｄの前面の開口部に引出体３が引出収納自在に設けられ、上記枠本体１、上記補強枠４、上記天板体２及び一個の引出体３により単一構造の収納ケースＫが形成されることになる。
【００１８】
又、この場合、上記引出体３にあっては、合成樹脂製にして、図１１、図１３の如く、底板３ａ、前板３ｂ、左右の側板３ｃ・３ｃ、後板３ｄからなり、上記引出体３の上記底板３ａの左右辺部に上記引出体３の左右の側板３ｃ・３ｃが起立状態Ｓ３ｃと引出体３の底板３ａの上面に沿った倒伏状態Ｔ３ｃとに折畳自在に配置され、かつ、上記引出体３の底板３ａの後辺部に上記引出体３の後板３ｄが起立状態Ｓ３ｄと引出体３の底板３ａの上面に沿った倒伏状態Ｔ３ｄとに折畳自在に配置され、さらに、上記引出体３の底板３ａの前辺部に上記引出体３の前板３ｂが起立状態Ｓ３ｂと引出体３の底板３ａの上面に沿った倒伏状態Ｔ３ｂとに折畳自在に配置され、図１３の如く、上記引出体３の底板３ａの上面に上記引出体３の左右の側板３ｃ・３ｃが引出体３の底板３ａの上面に沿って折り畳まれると共に引出体３の底板３ａの上面に沿って折り畳まれた上記引出体３の左右の側板３ｃ・３ｃの上面に上記引出体３の前板３ｂ及び後板３ｄが引出体３の底板３ａの上面に沿って折り畳まれることになる。
【００１９】
この場合、図１１の如く、上記引出体３の前板３ｂの上辺部及び下辺部に上取手部ＨＵ及び下取手部ＨＤが形成されている。
【００２０】
又、この場合、上記天板体２にあっては、上記枠本体１の上面を覆って枠本体１及び補強枠４に着脱自在に構成している。
【００２１】
５・５は凹状溝部であって、図２、図１０の如く、上記天板体２の上面の前部及び後部に形成され、枠本体１の底板１ａの底面に凹状溝部５・５に嵌合可能な前後一対宛の計４個の嵌合凸部６・６・・が形成され、収納ケースＫの積重状態において、下段の天板体２の凹状溝部５・５内に上段の枠本体１の嵌合凸部６・６・・が嵌合し、収納ケースＫの滑落を防いで複数の収納ケースＫ・Ｋ・・の積重状態の安定化を図るように構成している。
【００２２】
この実施の第一形態例は上記構成であるから、図２、図３の如く、上記単一構造の収納ケースＫ・Ｋを順次複数個、この場合、二個積み重ねたとき、図３、図４、図５、図６の如く、上記枠本体１の下部後面及び上記天板体２の後面に形成された対向一対の掛止突部Ｌ・Ｎに上記継合部材Ｇの一対の掛止鉤部ＧＬ・ＧＮを弾性を伴って係止することにより上記下段の収納ケースＫの天板体２の後面と天板体２上に積み重ねられた上段の収納ケースＫの上記枠本体１の下部後面との間が継合連結され、衝突等の不測の外力により上段の収納ケースＫが前方に滑り落ちる事態を防ぐことができ、積み重ねの安定性を向上することができ、使用の安全性を高めることができる。
【００２３】
又、この場合、上記枠本体１に上記継合部材Ｇの配置部Ｈが設けられ、配置部Ｈに上記継合部材Ｇの一対の掛止鉤部ＧＬ・ＧＮが掛止可能な一対の掛止部ＨＬ・ＨＮを形成しているから、不使用時において、継合部材Ｇの一対の掛止鉤部ＧＬ・ＧＮを配置部Ｈの一対の掛止部ＨＬ・ＨＮに係止することにより配置部Ｈに上記継合部材Ｇを配置することができ、継合部材Ｇの紛失を防ぐことができ、使用の利便性を向上することができる。
【００２４】
又、この場合、枠本体１にあっては、運搬時や保管時等の不使用時において、図１３の如く、上記枠本体１の底板１ａの上面に上記枠本体１の左右の側板１ｂ・１ｂを起立状態Ｓ１ｂから枠本体１の底板１ａの上面に沿った倒伏状態Ｔ１ｂに折り畳むことができ、上記枠本体１の上記後板１ｃを起立状態Ｓ１ｃから枠本体１の底板１ａの底面に沿った倒伏状態Ｔ１ｃに途中位置Ｍを介して折り畳むことができ、上記枠本体１の底板１ａの上面に左右の側板１ｂ・１ｂが底板１ａの上面に沿って折り畳まれると共に枠本体１の底板１ａの底面に後板１ｃが底板１ａの底面に沿って折り畳まれ、不使用時において、左右の側板１ｂ・１ｂ及び後板１ｃを折り畳むことにより底板１ａ、左右の側板１ｂ・１ｂ、後板１ｃの四部材を略平板状に折り畳むことができ、枠本体１の嵩張りを防いで収納保管スペースを軽減することができ、コンパクトに収納保管することができ、不使用時の枠本体１の収納保管を容易に行うことができ、かつ、底板１ａ、左右の側板１ｂ・１ｂ、後板１ｃは相互に連結されているので、底板１ａ、左右の側板１ｂ・１ｂ、後板１ｃを各別に保管する必要が無く、底板１ａ、左右の側板１ｂ・１ｂ、後板１ｃの紛失を防止することができ、底板１ａ、左右の側板１ｂ・１ｂ、後板１ｃを相互に組み立てる必要が無く、購入後の組立作業を容易に行うことができ、老人や要介護者にとっても容易に組み立てることができ、使用の利便性を向上することができる。
【００２５】
又、この場合、図１３の如く、引出体３にあっては、運搬時や保管時等の不使用時において、上記引出体３の底板３ａの上面に上記引出体３の左右の側板３ｃ・３ｃを起立状態Ｓ３ｃから引出体３の底板３ａの上面に沿った倒伏状態Ｔ３ｃに折り畳むことができ、引出体３の底板３ａの上面に沿って折り畳まれた上記引出体３の左右の側板３ｃ・３ｃの上面に上記引出体３の前板３ｂを起立状態Ｓ３ｂから引出体３の底板３ａの上面に沿った倒伏状態Ｔ３ｂに折り畳むことができ、引出体３の底板３ａの上面に沿って折り畳まれた上記引出体３の左右の側板３ｃ・３ｃの上面に上記引出体３の後板３ｄを起立状態Ｓ３ｄから引出体３の底板３ａの上面に沿った倒伏状態Ｔ３ｄに折り畳むことができ、上記引出体３の底板３ａの上面に左右の側板３ｃ・３ｃが底板３ａの上面に沿って折り畳まれると共に引出体３の底板３ａの上面に前板３ｂ及び後板３ｄが底板３ａの上面に沿って折り畳まれ、不使用時において、前板３ｂ、左右の側板３ｃ・３ｃ、後板３ｄを折り畳むことにより底板３ａ、前板３ｂ、左右の側板３ｃ・３ｃ、後板３ｄの五部材を略平板状に折り畳むことができ、引出体３の嵩張りを防いで収納保管スペースを軽減することができ、コンパクトに収納保管することができ、不使用時の引出体３の収納保管を容易に行うことができ、かつ、底板３ａ、前板３ｂ、左右の側板３ｃ・３ｃ、後板３ｄは相互に連結されているので、底板３ａ、前板３ｂ、左右の側板３ｃ・３ｃ、後板３ｄを各別に保管する必要が無く、底板３ａ、前板３ｂ、左右の側板３ｃ・３ｃ、後板３ｄの紛失を防止することができ、底板３ａ、前板３ｂ、左右の側板３ｃ・３ｃ、後板３ｄを相互に組み立てる必要が無く、購入後の組立作業を容易に行うことができ、老人や要介護者にとっても容易に組み立てることができ、使用の利便性を向上することができる。
【００２６】
又、この場合、上記天板体２の上面の前部及び後部に凹状溝部５・５が形成され、上記枠本体１の底板１ａの底面に凹状溝部５・５に嵌合可能な嵌合凸部６・６が形成されているから、例えば、図示省略の複数個の収納ケースＫ・Ｋ・・を積み重ねた積重状態において、上記凹状溝部５・５・・と上記嵌合凸部６・６・・との嵌合によりそれぞれ上段の収納ケースＫの前側への滑り落ちを防ぐことができ、積み重ねの安定性を高めることができる。
【００２７】
図１４乃至図１８の第二形態例は別例構造を示し、上記第一形態例と同様な同一態様部分には同一の符号を付して説明すると、この場合、図１４の如く、図１５、図１６、図１７、図１８に示す上記第一形態例と同様な底板１ａ、左右の側板１ｂ・１ｂ、後板１ｃからなる前面及び上面が開口した上下に積み重ね可能な２個の合成樹脂製の枠本体１・１と、積み重ねられた最上位の枠本体１の上面を覆う上記第一形態例と同様な合成樹脂製の天板体２と、２個の枠本体１・１及び天板体２からなる本体Ｄの前面の２個の開口部を介してそれぞれ引出収納自在に設けられ、上面が開口した２個の合成樹脂製の引出体３・３とからなる多段構造、この場合、二段構造の収納ケースＫＭと、上記第一形態例の図１に示す単一構造の収納ケースＫとを上段及び下段に二段状に積み重ねて構成している。
【００２８】
また、この場合、上記第一形態例の図１、図２、図３、図４、図５、図６の如く、上記下段の多段構造の収納ケースＫＭの天板体２の後面と天板体２上に積み重ねられた上段の単一構造の収納ケースＫの上記枠本体１の下部後面との間に掛架可能な継合部材Ｇ・Ｇが形成され、上記枠本体１の下部後面及び上記天板体２の後面に対向一対の掛止突部Ｌ・Ｎが左右方向に二個宛形成され、各継合部材Ｇに対向一対の掛止突部Ｌ・Ｎに係止可能な一対の掛止鉤部ＧＬ・ＧＮを形成して構成している。
【００２９】
また、この場合、上記第一形態例の図７に示す如く、上記各枠本体１・１に上記継合部材Ｇ・Ｇの配置部Ｈ・Ｈが設けられ、配置部Ｈ・Ｈに上記継合部材Ｇ・Ｇの一対の掛止鉤部ＧＬ・ＧＮが掛止可能な一対の掛止部ＨＬ・ＨＮを二組形成して構成している。
【００３０】
又、この場合、上記複数個、この場合、二個の枠本体１・１にあっては、図１１、図１２、図１３の如く、上記底板１ａの左右辺部に上記枠本体１の左右の側板１ｂ・１ｂが起立状態Ｓ１ｂと枠本体１の底板１ａの上面に沿った倒伏状態Ｔ１ｂとに折畳自在に配置され、かつ、上記枠本体１の底板１ａの後辺部に上記枠本体１の後板１ｃが起立状態Ｓ１ｃと枠本体１の底板１ａの底面に沿った倒伏状態Ｔ１ｃとに折畳自在に配置され、上記枠本体１の底板１ａの上面に枠本体１の左右の側板１ｂ・１ｂが枠本体１の底板１ａの上面に沿って折り畳まれると共に枠本体１の底板１ａの底面に枠本体１の後板１ｃが枠本体１の底板１ａの底面に沿って折り畳まれ、かつ、この場合、上記枠本体１の上記底板１ａの前端部及び上記左右の側板１ｂ・１ｂの各前端部に着脱自在に嵌合可能な断面コ状の四角枠状の補強枠４を設け、しかして、上記２個の枠本体１・１、２個の補強枠４・４及び２個の天板体２・２からなる本体Ｄ・Ｄの前面の開口部に２個の引出体３・３が引出収納自在に設けられ、上記枠本体１・１、上記補強枠４・４、上記天板体２・２及び２個の引出体３・３により多段構造の収納ケースＫＭが形成されることになる。
【００３１】
又、この場合、上記各引出体３にあっては、合成樹脂製にして、図１１、図１３の如く、底板３ａ、前板３ｂ、左右の側板３ｃ・３ｃ、後板３ｄからなり、上記引出体３の上記底板３ａの左右辺部に上記引出体３の左右の側板３ｃ・３ｃが起立状態Ｓ３ｃと引出体３の底板３ａの上面に沿った倒伏状態Ｔ３ｃとに折畳自在に配置され、かつ、上記引出体３の底板３ａの後辺部に上記引出体３の後板３ｄが起立状態Ｓ３ｄと引出体３の底板３ａの上面に沿った倒伏状態Ｔ３ｄとに折畳自在に配置され、さらに、上記引出体３の底板３ａの前辺部に上記引出体３の前板３ｂが起立状態Ｓ３ｂと引出体３の底板３ａの上面に沿った倒伏状態Ｔ３ｂとに折畳自在に配置され、図１３の如く、上記引出体３の底板３ａの上面に上記引出体３の左右の側板３ｃ・３ｃが引出体３の底板３ａの上面に沿って折り畳まれると共に引出体３の底板３ａの上面に沿って折り畳まれた上記引出体３の左右の側板３ｃ・３ｃの上面に上記引出体３の前板３ｂ及び後板３ｄが引出体３の底板３ａの上面に沿って折り畳まれることになる。
【００３２】
この場合、図１４、図１６の如く、上記各引出体３の前板３ｂの上辺部及び下辺部に上取手部ＨＵ及び下取手部ＨＤが形成され、又、この場合、上記天板体２にあっては、上記最上位の枠本体１の上面を覆って枠本体１及び補強枠４に着脱自在に構成している。
【００３３】
５・５は凹状溝部であって、図１４の如く、上記天板体２の上面の前部及び後部に形成され、枠本体１の底板１ａの底面に凹状溝部５・５に嵌合可能な前後一対宛の計４個の嵌合凸部６・６・・が形成され、収納ケースＫの積重状態において、下段の天板体２の凹状溝部５・５内に上段の枠本体１の嵌合凸部６・６・・が嵌合し、収納ケースＫの滑落を防いで複数の収納ケースＫ・ＫＭの積重状態の安定化を図るように構成している。
【００３４】
この実施の第二形態例は上記構成であるから、図１４の如く、上記多段構造の収納ケースＫＭに単一構造の収納ケースＫを順次複数個、この場合、二個積み重ねたとき、上記枠本体１の下部後面及び上記天板体２の後面に形成された対向一対の掛止突部Ｌ・Ｎに上記継合部材Ｇの一対の掛止鉤部ＧＬ・ＧＮを弾性を伴って係止することにより上記下段の多段構造の収納ケースＫＭの天板体２の後面と天板体２上に積み重ねられた上段の単一構造の収納ケースＫの上記枠本体１の下部後面との間が継合連結され、衝突等の不測の外力により上段の収納ケースＫが前方に滑り落ちる事態を防ぐことができ、積み重ねの安定性を向上することができ、使用の安全性を高めることができる。
【００３５】
又、この場合、図１４及び上記第一形態例の図７に示す如く、上記枠本体１に上記継合部材Ｇの配置部Ｈが設けられ、配置部Ｈに上記継合部材Ｇの一対の掛止鉤部ＧＬ・ＧＮが掛止可能な一対の掛止部ＨＬ・ＨＮを形成しているから、不使用時において、継合部材Ｇの一対の掛止鉤部ＧＬ・ＧＮを配置部Ｈの一対の掛止部ＨＬ・ＨＮに係止することにより配置部Ｈに上記継合部材Ｇを配置することができ、継合部材Ｇの紛失を防ぐことができ、使用の利便性を向上することができる。
【００３６】
又、この場合、枠本体１にあっては、上記第一形態例と同様に、運搬時や保管時等の不使用時において、図１３の如く、上記枠本体１の底板１ａの上面に上記枠本体１の左右の側板１ｂ・１ｂを起立状態Ｓ１ｂから枠本体１の底板１ａの上面に沿った倒伏状態Ｔ１ｂに折り畳むことができ、上記枠本体１の上記後板１ｃを起立状態Ｓ１ｃから枠本体１の底板１ａの底面に沿った倒伏状態Ｔ１ｃに途中位置Ｍを介して折り畳むことができ、上記枠本体１の底板１ａの上面に左右の側板１ｂ・１ｂが底板１ａの上面に沿って折り畳まれると共に枠本体１の底板１ａの底面に後板１ｃが底板１ａの底面に沿って折り畳まれ、不使用時において、左右の側板１ｂ・１ｂ及び後板１ｃを折り畳むことにより底板１ａ、左右の側板１ｂ・１ｂ、後板１ｃの四部材を略平板状に折り畳むことができ、枠本体１の嵩張りを防いで収納保管スペースを軽減することができ、コンパクトに収納保管することができ、不使用時の枠本体１の収納保管を容易に行うことができ、かつ、底板１ａ、左右の側板１ｂ・１ｂ、後板１ｃは相互に連結されているので、底板１ａ、左右の側板１ｂ・１ｂ、後板１ｃを各別に保管する必要が無く、底板１ａ、左右の側板１ｂ・１ｂ、後板１ｃの紛失を防止することができ、底板１ａ、左右の側板１ｂ・１ｂ、後板１ｃを相互に組み立てる必要が無く、購入後の組立作業を容易に行うことができ、老人や要介護者にとっても容易に組み立てることができ、使用の利便性を向上することができる。
【００３７】
又、この場合、上記各引出体３・３にあっては、上記第一形態例と同様に、図１３の如く、運搬時や保管時等の不使用時において、上記引出体３の底板３ａの上面に上記引出体３の左右の側板３ｃ・３ｃを起立状態Ｓ３ｃから引出体３の底板３ａの上面に沿った倒伏状態Ｔ３ｃに折り畳むことができ、引出体３の底板３ａの上面に沿って折り畳まれた上記引出体３の左右の側板３ｃ・３ｃの上面に上記引出体３の前板３ｂを起立状態Ｓ３ｂから引出体３の底板３ａの上面に沿った倒伏状態Ｔ３ｂに折り畳むことができ、引出体３の底板３ａの上面に沿って折り畳まれた上記引出体３の左右の側板３ｃ・３ｃの上面に上記引出体３の後板３ｄを起立状態Ｓ３ｄから引出体３の底板３ａの上面に沿った倒伏状態Ｔ３ｄに折り畳むことができ、上記引出体３の底板３ａの上面に左右の側板３ｃ・３ｃが底板３ａの上面に沿って折り畳まれると共に引出体３の底板３ａの上面に前板３ｂ及び後板３ｄが底板３ａの上面に沿って折り畳まれ、不使用時において、前板３ｂ、左右の側板３ｃ・３ｃ、後板３ｄを折り畳むことにより底板３ａ、前板３ｂ、左右の側板３ｃ・３ｃ、後板３ｄの五部材を略平板状に折り畳むことができ、引出体３の嵩張りを防いで収納保管スペースを軽減することができ、コンパクトに収納保管することができ、不使用時の引出体３の収納保管を容易に行うことができ、かつ、底板３ａ、前板３ｂ、左右の側板３ｃ・３ｃ、後板３ｄは相互に連結されているので、底板３ａ、前板３ｂ、左右の側板３ｃ・３ｃ、後板３ｄを各別に保管する必要が無く、底板３ａ、前板３ｂ、左右の側板３ｃ・３ｃ、後板３ｄの紛失を防止することができ、底板３ａ、前板３ｂ、左右の側板３ｃ・３ｃ、後板３ｄを相互に組み立てる必要が無く、購入後の組立作業を容易に行うことができ、老人や要介護者にとっても容易に組み立てることができ、使用の利便性を向上することができる。
【００３８】
又、この場合、図１４の如く、上記第一形態例と同様に、上記天板体２の上面の前部及び後部に凹状溝部５・５が形成され、上記枠本体１の底板１ａの底面に凹状溝部５・５に嵌合可能な嵌合凸部６・６が形成されているから、例えば、図示省略の複数個の収納ケースＫ・Ｋ・・を積み重ねた積重状態において、上記凹状溝部５・５・・と上記嵌合凸部６・６・・との嵌合によりそれぞれ上段の収納ケースＫの前側への滑り落ちを防ぐことができ、積み重ねの安定性を高めることができる。
【００３９】
尚、本考案は上記実施の形態例のものに限られず、例えば、枠本体１の数、段数、大きさ、天板体２の形状、引出体３の個数は用途に応じて定められるものである。
【００４０】
以上の如く、所期の目的を充分達成することができる。
【符号の説明】
【００４１】
Ｋ    収納ケース
Ｄ    本体
Ｇ    継合部材
Ｈ    配置部
Ｌ    掛止突部
Ｎ    掛止突部
ＧＬ    掛止鉤部
ＧＮ    掛止鉤部
ＨＬ    掛止部
ＨＮ    掛止部
１    枠本体
２    天板体
３    引出体
【図１】
0003224229.tif 000003
【図２】
0003224229.tif 000004
【図３】
0003224229.tif 000005
【図４】
0003224229.tif 000006
【図５】
0003224229.tif 000007
【図６】
0003224229.tif 000008
【図７】
0003224229.tif 000009
【図８】
0003224229.tif 000010
【図９】
0003224229.tif 000011
【図１０】
0003224229.tif 000012
【図１１】
0003224229.tif 000013
【図１２】
0003224229.tif 000014
【図１３】
0003224229.tif 000015
【図１４】
0003224229.tif 000016
【図１５】
0003224229.tif 000017
【図１６】
0003224229.tif 000018
【図１７】
0003224229.tif 000019
【図１８】
0003224229.tif 000020